(57)【要約】      （修正有）【課題】外気温度の低下時やエコキュート故障時にも安定した温水量を安価な金額で確保できる温水生成貯湯装置を提供する。【解決手段】電気料金の安価な時間帯の温水生成は，エコキュ−ト機２に給水を行いエコキュ−ト機２により温水の生成がされ，開放型電気温水器１に貯湯がなされる。外気温度測定用調節器８により，外気温度低下時は上記温水生成を行い同時に電動弁６を開き直接開放型電気温水器１に給水を行いシ−ズヒ−タ４に通電をし，温度調節器５で貯湯温度を設定する。電気料金の安価な時間帯の温水生成は，電極７で水位を確認し自動で行い，加圧給湯ポンプ１０の空転防止も行う。昼間時の追焚運転は，液面発信器９により，開放型電気温水器１の残湯量を検知し，エコキュ−ト機２を必要最小限運転させ温水を生成する。エコキュ−ト機２故障時は，全ての温水の生成を開放型電気温水器１で行う。又，上記の時間帯設定を含め全ての制御をシステム制御盤３にて行う。【選択図】図１
0003145322.tif 000002
【実用新案登録請求の範囲】
【請求項１】
ＦＲＰもしくはステンレス製からなる貯湯タンクとヒ−タ−内臓の開放型電気温水器とＣＯ２を冷媒とするエコキュ−ト機と制御盤を備えた特徴とする温水の生成と貯湯をする装置。
【請求項２】
外気温度と開放型電気温水器の残湯量を検知し，開放型電気温水器のヒ−タ通電と補給水を制御することを特徴とする請求項１に記載の温水の生成と貯湯をする装置。
【考案の詳細な説明】
【技術分野】
【０００１】本考案は，温水の生成と貯湯を行う装置に関してのものである。
【背景技術】
【０００２】エコキュ−ト機で温水を生成し，貯湯槽に貯湯する装置及びシステムは，すでに実用されている。【０００３】しかし従来の方法は外気温度に左右されるエコキュ−トのみで温水を生成するため，寒冷期や寒冷地では安定した温水量の確保とエコキュ−ト機の故障時のバックアップが装備されていない欠点があった。
【考案の開示】
【考案が解決しようとする課題】
【０００４】解決しようとする課題は，外気温度の低下時とエコキュ−ト故障時の安定した温水量を安価な金額で確保できない欠点を解消することである。
【課題を解決するための手段】
【０００５】本考案は，上記の目的を達成するために貯湯と昇温を兼ね備えた開放型電気温水器を使用し，システム制御をすることである。【０００６】開放型電気温水器は，ＣＯＰ１で温水を生成するので，電気料金の安価な時間帯に運転し，ＣＯＰ４のエコキュ−ト機を主体に温水の生成を行う制御とする。【０００７】寒冷期は，外気温度によりエコキュ−ト機の加熱能力が低下する開放型電気温水器による温水生成が主体となる制御とする。【０００８】電気料金の割高な昼間時の追焚運転については，開放型電気温水器の残湯量を検知し温水の生成を行う制御システムとする。
【考案の効果】
【０００９】ＣＯＰ係数の高いエコキュ−ト機を使用することにより，電気料金の削減と電化により化石燃料による地球温暖化防止などの利点がある。
【課題を解決するための手段】
【０００５】本考案は，上記の目的を達成するために貯湯と昇温を兼ね備えた開放型電気温水器を使用し，システム制御をすることである。【０００６】開放型電気温水器は，ＣＯＰ１で温水を生成するので，電気料金の安価な時間帯に運転し，ＣＯＰ４のエコキュ−ト機を主体に温水の生成を行う制御とする。【０００７】寒冷期は，外気温度によりエコキュ−ト機の加熱能力が低下する開放型電気温水器による温水生成が主体となる制御とする。【０００８】電気料金の割高な昼間時の追焚運転については，開放型電気温水器の残湯量を検知し温水の生成を行う制御システムとする。
【考案の効果】
【０００９】ＣＯＰ係数の高いエコキュ−ト機を使用することにより，電気料金の削減と電化により化石燃料による地球温暖化防止などの利点がある。
【考案を実施するための最良の形態】
【００１０】安定した温水の生成を開放型電気温水器とエコキュ−ト機を併用することにより，貯湯とエコキュ−ト機の寒冷期対策及び故障時のバックアップを可能な限り安価なコストで行える様に実現した。
【実施例】
【００１１】図１は，本考案装置のシステムフロ−図である。
電気料金の安価な時間帯の温水生成は，エコキュ−ト機２に給水を行いエコキュ−ト機２により温水の生成がされ，開放型電気温水器１に貯湯がなされる。
外気温度測定用調節器８により，外気温度低下時は上記温水生成を行い同時に電動弁６を開き直接開放型電気温水器１に給水を行いシ−ズヒ−タ４に通電をし，温度調節器５で貯湯温度を設定する。
電気料金の安価な時間帯の温水生成は，電極７で水位を確認し自動で行い，加圧給湯ポンプ１０の空転防止も行う。
昼間時の追焚運転は，液面発信器９により，開放型電気温水器１の残湯量を検知し，エコキュ−ト機２を必要最小限運転させ温水を生成する。
エコキュ−ト機２故障時は，全ての温水の生成を開放型電気温水器１で行う。
又，上記の時間帯設定を含め全ての制御をシステム制御盤３にて行う。
【産業上の利用可能性】
【００１２】老人施設・工場など温水使用が不可欠な多数の施設において適用できる。
【図面の簡単な説明】
【００１３】
【図１】  本考案による装置のシステムフロ−図である。
【符号の説明】
【００１４】  １  開放型電気温水器
２  エコキュ−ト機
３  システム制御盤
４  シ−ズヒ−タ−
５  温度調節器
６  電動弁
７  電極
８  外気温度測定用調節器
９  液面発信器
１０  加圧給湯ポンプ
【図１】
0003145322.tif 000003
【手続補正書】
【提出日】平成20年6月10日(2008.6.10)
【手続補正１】
【補正対象書類名】実用新案登録請求の範囲
【補正対象項目名】全文
【補正方法】変更
【補正の内容】
【実用新案登録請求の範囲】
【請求項１】
ＦＲＰもしくはステンレス製からなる貯湯タンクとヒ−タ−内臓の開放型電気温水器とＣＯ２を冷媒とする「エコキュ−ト（登録商品）」機と制御盤を備えた特徴とする温水の生成と貯湯をする装置。
【請求項２】
外気温度と開放型電気温水器の残湯量を検知し，開放型電気温水器のヒ−タ通電と補給水を制御することを特徴とする請求項１に記載の温水の生成と貯湯をする装置。
【手続補正２】
【補正対象書類名】明細書
【補正対象項目名】全文
【補正方法】変更
【補正の内容】
【考案の詳細な説明】
【技術分野】
【０００１】本考案は，温水の生成と貯湯を行う装置に関してのものである。
【背景技術】
【０００２】「エコキュ−ト（登録商品）」機で温水を生成し，貯湯槽に貯湯する装置及びシステムは，すでに実用されている。【０００３】しかし従来の方法は外気温度に左右される「エコキュ−ト（登録商品）」のみで温水を生成するため，寒冷期や寒冷地では安定した温水量の確保と「エコキュ−ト（登録商品）」機の故障時のバックアップが装備されていない欠点があった。
【考案の開示】
【考案が解決しようとする課題】
【０００４】解決しようとする課題は，外気温度の低下時と「エコキュ−ト（登録商品）」故障時の安定した温水量を安価な金額で確保できない欠点を解消することである。
【課題を解決するための手段】
【０００５】本考案は，上記の目的を達成するために貯湯と昇温を兼ね備えた開放型電気温水器を使用し，システム制御をすることである。【０００６】開放型電気温水器は，ＣＯＰ１で温水を生成するので，電気料金の安価な時間帯に運転し，ＣＯＰ４の「エコキュ−ト（登録商品）」機を主体に温水の生成を行う制御とする。【０００７】寒冷期は，外気温度により「エコキュ−ト（登録商品）」機の加熱能力が低下する開放型電気温水器による温水生成が主体となる制御とする。【０００８】電気料金の割高な昼間時の追焚運転については，開放型電気温水器の残湯量を検知し温水の生成を行う制御システムとする。
【考案の効果】
【０００９】ＣＯＰ係数の高い「エコキュ−ト（登録商品）」機を使用することにより，電気料金の削減と電化により化石燃料による地球温暖化防止などの利点がある。
【考案を実施するための最良の形態】
【００１０】安定した温水の生成を開放型電気温水器と「エコキュ−ト（登録商品）」機を併用することにより，貯湯と「エコキュ−ト（登録商品）」機の寒冷期対策及び故障時のバックアップを可能な限り安価なコストで行える様に実現した。
【実施例】
【００１１】図１は，本考案装置のシステムフロ−図である。
電気料金の安価な時間帯の温水生成は，「エコキュ−ト（登録商品）」機２に給水を行い「エコキュ−ト（登録商品）」機２により温水の生成がされ，開放型電気温水器１に貯湯がなされる。
外気温度測定用調節器８により，外気温度低下時は上記温水生成を行い同時に電動弁６を開き直接開放型電気温水器１に給水を行いシ−ズヒ−タ４に通電をし，温度調節器５で貯湯温度を設定する。
電気料金の安価な時間帯の温水生成は，電極７で水位を確認し自動で行い，加圧給湯ポンプ１０の空転防止も行う。
昼間時の追焚運転は，液面発信器９により，開放型電気温水器１の残湯量を検知し，「エコキュ−ト（登録商品）」機２を必要最小限運転させ温水を生成する。
「エコキュ−ト（登録商品）」機２故障時は，全ての温水の生成を開放型電気温水器１で行う。
又，上記の時間帯設定を含め全ての制御をシステム制御盤３にて行う。
【産業上の利用可能性】
【００１２】老人施設・工場など温水使用が不可欠な多数の施設において適用できる。
【図面の簡単な説明】
【００１３】
【図１】本考案による装置のシステムフロ−図である。
【符号の説明】
【００１４】  １  開放型電気温水器
２  「エコキュ−ト（登録商品）」機
３  システム制御盤
４  シ−ズヒ−タ−
５  温度調節器
６  電動弁
７  電極
８  外気温度測定用調節器
９  液面発信器
１０  加圧給湯ポンプ